(57)【要約】【課題】ポケットやカバンに入れる際に丸めやすく、かつ、元の形状に戻りやすい良好な形状保持性を有する帽子を提供する。【解決手段】芯材１を布体にて被覆したひさしを有する帽子に於て、芯材１が、非発泡樹脂から成り窓部４を有する形状保持用主芯材５と、発泡樹脂から成り窓部４に嵌込状に配設された副芯材６とから成る。主芯材５がポリエチレンから成り、かつ、副芯材６が発泡率７倍以上30倍以下の発泡ポリエチレンから成る。主芯材５及び副芯材６に、布体を接着シートにて接着して、主芯材５と副芯材６と布体を一体化した。【選択図】図３
2016029222.tif 000002
【特許請求の範囲】
【請求項１】
芯材（１）を布体（２）にて被覆したひさし（３）を有する帽子に於て、上記芯材（１）が、非発泡樹脂から成り窓部（４）を有する主芯材（５）と、発泡樹脂から成り上記窓部（４）に嵌込状に配設された副芯材（６）とから成ることを特徴とする帽子。
【請求項２】
上記主芯材（５）がポリエチレンから成り、かつ、上記副芯材（６）が発泡率７倍以上30倍以下の発泡ポリエチレンから成る請求項１記載の帽子。
【請求項３】
上記主芯材（５）及び副芯材（６）に、上記布体（２）を接着シート（７）にて接着して、上記主芯材（５）と副芯材（６）と布体（２）を一体化した請求項１又は２記載の帽子。
【請求項４】
上記主芯材（５）の比重を 0.3ｇ／cm3 以上 1.0ｇ／cm3 以下に設定し、かつ、上記副芯材（６）の比重を0.01ｇ／cm3 以上 0.2ｇ／cm3 以下に設定した請求項１，２又は３記載の帽子。
【発明の詳細な説明】
【技術分野】
【０００１】
本発明は、帽子に関する。
【背景技術】
【０００２】
従来、帽子のひさしは、一種類かつ一体物の素材から成る芯材の両面を生地で被覆した状態で縫合されて成る（例えば、特許文献１参照）。
【０００３】
しかし、芯材の素材が柔らかい（剛性が低い）場合、ポケットやカバンに入れると、形状がくずれるという欠点があった。また、芯材の素材が硬い（剛性が高い）場合、ポケットやカバンに入れるために丸めにくいという欠点があった。
【先行技術文献】
【特許文献】
【０００４】
【特許文献１】特開２００４−２３２１２２
【発明の概要】
【発明が解決しようとする課題】
【０００５】
解決しようとする課題は、芯材の素材が柔らかい場合、帽子を丸めて一旦ポケットやカバンに入れると、再び使用する際、形状がくずれる点である。また、芯材の素材が硬い場合、ポケットやカバンに入れるために丸めにくい点である。
【課題を解決するための手段】
【０００６】
そこで、本発明に係る帽子は、芯材を布体にて被覆したひさしを有する帽子に於て、上記芯材が、非発泡樹脂から成り窓部を有する主芯材と、発泡樹脂から成り上記窓部に嵌込状に配設された副芯材とから成るものである。
【０００７】
また、上記主芯材がポリエチレンから成り、かつ、上記副芯材が発泡率７倍以上30倍以下の発泡ポリエチレンから成るものである。
また、上記主芯材及び副芯材に、上記布体を接着シートにて接着して、上記主芯材と副芯材と布体を一体化したものである。
また、上記主芯材の比重を 0.3ｇ／cm3 以上 1.0ｇ／cm3 以下に設定し、かつ、上記副芯材の比重を0.01ｇ／cm3 以上 0.2ｇ／cm3 以下に設定したものである。
【発明の効果】
【０００８】
本発明の帽子によれば、ポケットやカバンに入れる際に丸めやすく、かつ、再び使用する際、元の形状に戻りやすい良好な形状保持性を有する。また、芯材が非発泡樹脂のみから成る場合と比較して、軽量である。
【図面の簡単な説明】
【０００９】
【図１】本発明の第１の実施の形態を示す平面図である。
【図２】丸めた状態を示す正面図である。
【図３】芯材を示す説明図である。
【図４】図１のＡ−Ａ断面拡大図である。
【図５】図１のＢ−Ｂ断面拡大図である。
【図６】要部拡大図である。
【図７】第２の実施の形態を示す説明図である。
【図８】第３の実施の形態を示す説明図である。
【発明を実施するための形態】
【００１０】
以下、図示の実施の形態に基づいて本発明を詳説する。
図１は、本発明の第１の実施の形態を示す。この帽子は、芯材１（図３〜図６参照）を布体２にて被覆したひさし３を有する帽子であって、図２に示すように丸めやすく、かつ、再び使用する際、元の形状に戻りやすい良好な形状保持性を有する。
【００１１】
図３に示すように、芯材１が、非発泡樹脂から成り窓部４を有する主芯材５と、発泡樹脂（例えば独立発泡気泡を有する樹脂）から成り窓部４に嵌込状に配設された副芯材６とから成る。主芯材５は、例えば、ポリエチレンから成る。副芯材６は、例えば、発泡率７倍以上30倍以下の発泡ポリエチレンから成る。発泡率が７倍未満の場合、帽子を丸めにくくなる。発泡率が30倍を超える場合、形状保持性が悪くなる。主芯材５の形状は、中央にひとつの窓部４を有する月型である。
【００１２】
布体２は、例えば、ポリエステル、綿、ポリエステル・ポリウレタンから成る。表て布体２ａと裏布体２ｂを同一としても、相違させても良い。
【００１３】
主芯材５の比重を 0.3ｇ／cm3 以上 1.0ｇ／cm3 以下に設定する。主芯材５の比重が 0.3ｇ／cm3 未満の場合、形状保持性が悪くなる。主芯材５の比重が 1.0ｇ／cm3 を超える場合、帽子を丸めにくくなる。
【００１４】
副芯材６の比重を0.01ｇ／cm3 以上 0.2ｇ／cm3 以下に設定する。副芯材６の比重が0.01ｇ／cm3 未満の場合、形状保持性が悪くなる。副芯材６の比重が 0.2ｇ／cm3 を超える場合、帽子を丸めにくくなる。
【００１５】
主芯材５の厚さ寸法ｔ5 を、１mm以上３mm以下に設定する。厚さ寸法ｔ5 が１mm未満の場合、必要な形状保持性が確保できない。すなわち、帽子を丸めた後に再び使用する際、形状がくずれる。厚さ寸法ｔ5 が３mmを超える場合、剛性が高くなり、丸めにくい。
【００１６】
副芯材６の厚さ寸法ｔ6 を、１mm以上３mm以下に設定する。厚さ寸法ｔ6 が１mm未満の場合、必要な形状保持性が確保できない。すなわち、使用時に形状がくずれる。厚さ寸法ｔ6 が３mmを超える場合、かさばって丸めにくい。
【００１７】
副芯材６の厚さ寸法ｔ6 は、主芯材５の厚さ寸法ｔ5 と同一、又は、厚さ寸法ｔ5 よりわずかに大きく設定する。この場合、形状保持性と丸めやすさの両方を適度に兼ね備えることができる。副芯材６の厚さ寸法ｔ6 が、主芯材５の厚さ寸法ｔ5 より小さい場合、帽子を丸めたり使用状態としたり繰り返すと副芯材６が圧縮されて、必要な形状保持性が確保できなくなる。副芯材６の厚さ寸法ｔ6 が、主芯材５の厚さ寸法ｔ5 よりかなり大きい場合、主芯材５の形状保持性を適切に発揮することができない。
【００１８】
図５に示すように、ひさし３の後端縁部12は、表て布体２ａと裏布体２ｂとが、主芯材５の外側に縫い代13，14を有し、縫い代13と縫い代14と帽子本体15とビン皮16が縫着されている。
【００１９】
図６に示すように、主芯材５及び副芯材６に、布体２を接着シート７（感熱接着用フィルム）にて接着して、主芯材５と副芯材６と布体２が一体化されている。主芯材５の窓部４と副芯材６とは接着されていない。ひさし３の中央部が縫着されていない。容易に製造することができる。
【００２０】
図７は第２の実施の形態を示す。主芯材５の形状は、外形が月型であって、前後方向２本の補強部８を有し、中央に３つの窓部４を形成する。第１の実施の形態と比較して、形状保持性が良い。その他の構成は、第１の実施の形態と同様である。
【００２１】
図８は第３の実施の形態を示す。主芯材５の形状は、外形が月型であって、左右側端縁９及び前端縁10と平行な弯曲補強部11を有し、中央に２つの窓部４を形成する。第１の実施の形態と比較して、形状保持性が良い。その他の構成は、第１の実施の形態と同様である。そして、図３，図７，図８等のいずれに於ても、主芯材５は、シート素材の打ち抜きや、切り抜きから成り、(切れ目の無い)一体ものであるから、形状を保持しようとする復元力が大である。
【００２２】
なお、図４・図５では、接着シート７を図示省略した。
本発明は、設計変更可能であって、副芯材６が発泡ポリエチレン以外の材料から成るも良い。例えば、副芯材６が発泡ポリプロピレンから成るも良い。
【００２３】
以上のように、本発明は、芯材１を布体２にて被覆したひさし３を有する帽子に於て、上記芯材１が、非発泡樹脂から成り窓部４を有する主芯材５と、発泡樹脂から成り上記窓部４に嵌込状に配設された副芯材６とから成るので、ポケットやカバンに入れる際に丸めやすく、かつ、再び使用する際、元の形状に（弾性復元力によって）戻りやすい良好な形状保持性を有する。すなわち、剛性の大きな主芯材５の割合が小さくなり、代わりに、柔らかい副芯材６が配設されるので、（柔らかく畳めて）丸めやすくなるとともに、主芯材５によって形状保持性が確保される。
【００２４】
また、上記主芯材５がポリエチレンから成り、かつ、上記副芯材６が発泡率７倍以上30倍以下の発泡ポリエチレンから成るので、丸めやすく、かつ、形状保持性が良い。また、容易に製造することができる。かつ、軽量化も図り得る。
また、上記主芯材５及び副芯材６に、上記布体２を接着シート７にて接着して、上記主芯材５と副芯材６と布体２を一体化したので、容易に製造することができる。特に、縫製工程を省略することができる。
また、上記主芯材５の比重を 0.3ｇ／cm3 以上 1.0ｇ／cm3 以下に設定し、かつ、上記副芯材６の比重を0.01ｇ／cm3 以上 0.2ｇ／cm3 以下に設定したので、ポケットやカバンに入れる際に丸めやすく、かつ、再び使用する際、元の形状に戻りやすい良好な形状保持性を有する。
【符号の説明】
【００２５】
１  芯材
２  布体
３  ひさし
４  窓部
５  主芯材
６  副芯材
７  接着シート（感熱接着用フィルム）
【図１】
2016029222.tif 000003
【図２】
2016029222.tif 000004
【図３】
2016029222.tif 000005
【図４】
2016029222.tif 000006
【図５】
2016029222.tif 000007
【図６】
2016029222.tif 000008
【図７】
2016029222.tif 000009
【図８】
2016029222.tif 000010